(57)【要約】      （修正有）【課題】  レジオネラ症が発生するおそれがなく衛生上好ましく、水流のみのジェット噴射装置であっても脈動感のある水流が得られ、入浴者の受ける水圧がマッサージ効果をもたらすジェット噴射装置の提供。【解決手段】  ノズルを中心に備える本体部の周囲壁１２の前端に蓋部材２が設けられ、周囲壁と蓋部材とでチャンバ３が形成され、チャンバ内にはノズル中心の周りに回転可能な回転体４がある。蓋部材には回転体前方室内と蓋部材前方空間とを連通する中央連通孔２１を有し、回転体の周囲には、チャンバ内の回転体より基端側空間３２と蓋部材の前方空間とを連通する周囲連通孔５を有する。回転体には先端面に蓋部材基端側端面と点接触する支持部材４０があり、基端面と先端面とを連通する噴射水導通孔が回転体内において周方向に傾斜している。噴射水導通孔と隣接する位置に回転体の基端面と回転体の先端面とを連通する回転体連通孔を有する。【選択図】      図２
2007130332.tif 000002
【特許請求の範囲】
【請求項１】
加圧水供給手段からの加圧水を噴射口からジェット噴射として浴槽内に噴出する水流ジェット噴射装置であって、前記ジェット噴射装置は、噴射口を有するノズルと、ノズルを中心に備える本体部を有し、
前記本体部は、ノズルを中心にしてノズルより前方に周囲壁を有し、
前記周囲壁の前端に蓋部材が設けられ、前記周囲壁と前記蓋部材とでチャンバが形成され、チャンバ内にはノズル中心の周りに回転可能な回転体があり、
前記蓋部材には回転体前方室内と蓋部材前方空間とを連通する中央連通孔を有し、
前記回転体の周囲には、前記チャンバ内の回転体より基端側空間と蓋部材の前方空間とを連通する周囲連通孔を有し、
前記回転体には、その先端面には、蓋部材基端側端面と点接触する支持部材を有するとともに、回転体の基端面と回転体の先端面とを連通する噴射水導通孔が設けられ、
前記噴射水導通孔は、回転体基端においてノズルの前方に位置し、回転体内において周方向に傾斜して形成されており、
さらに、前記噴射水導通孔と隣接する位置において、回転体の基端面と回転体の先端面とを連通する回転体連通孔を有することを特徴とするジェット噴射装置。
【請求項２】
前記回転体の噴射水導通孔の傾斜の角度は１５度から２５度の範囲であることを特徴とする請求項１のジェット噴射装置。
【発明の詳細な説明】
【技術分野】
【０００１】
本発明は、浴槽におけるジェット噴流を生じさせるジェット噴射装置に関する。
【背景技術】
【０００２】
従来から、浴槽用のジェット噴射として、ジェット噴射によるジェット水流と空気を混合させてマッサージ効果の得られるジェット噴射装置が知られている（特許文献１参照）。
【０００３】
【特許文献１】特開２００１−１４５６７６号公報
【発明の開示】
【発明が解決しようとする課題】
【０００４】
しかしながら、上記の特許文献１で開示されているジェット噴射装置は、空気をジェット水流と混合して噴出させるものであり、４０℃から４３℃の空気がある場所で最も発生しやすいとされているレジオネラ菌が混入するおそれがあり衛生上好ましくなかった。
さらに、従来の水流のみの噴出の場合には、噴流が狭い範囲に限定されてしまい、広範囲にわたる脈動感のある噴流を生じさせることは困難であってマッサージ効果として十分なものを得ることができなかった。
【０００５】
本発明は、かかる事情に鑑みてなされたものであり、レジオネラ症が発生するおそれがなく衛生上好ましく、空気を混入しない水流のみのジェット噴射であっても脈動感のある噴流が得られ、入浴者の受ける水圧が好適なマッサージ効果をもたらすジェット噴射装置を提供することを目的とするものである。
【課題を解決するための手段】
【０００６】
上記課題を解決するため、本発明のジェット噴射装置は、加圧水供給手段からの加圧水を噴射口からジェット噴射として浴槽内に噴出するジェット噴射装置であって、前記ジェット噴射装置は、噴射口を有するノズルと、ノズルを中心に備える本体部を有し、
前記本体部は、ノズルを中心にしてノズルより前方に周囲壁を有し、
前記周囲壁の前端に蓋部材が設けられ、前記周囲壁と前記蓋部材とでチャンバが形成され、チャンバ内にはノズル中心の周りに回転可能な回転体があり、
前記蓋部材には回転体前方室内と蓋部材前方空間とを連通する中央連通孔を有し、
前記回転体の周囲には、前記チャンバ内の回転体より基端側空間と蓋部材の前方空間とを連通する周囲連通孔を有し、
前記回転体には、その先端面には、蓋部材基端側端面と点接触する支持部材を有するとともに、回転体の基端面と回転体の先端面とを連通する噴射水導通孔が設けられ、
前記噴射水導通孔は、回転体基端においてノズルの前方に位置し、回転体内において周方向に傾斜して形成されており、
さらに、前記噴射水導通孔と隣接する位置において、回転体の基端面と回転体の先端面とを連通する回転体連通孔を有することを特徴とする。
【０００７】
また、本発明のジェット噴射装置は、好ましくは上記の構成に加えて、前記回転体の噴射水導通孔の傾斜の角度は１５度から２５度の範囲であることを特徴とする。
【発明の効果】
【０００８】
本発明によれば、レジオネラ症が発生するおそれがなく衛生上好ましい。さらに、空気を混入しない水流のみのジェット噴射であっても、バリエーションに富んだ脈動感のある噴流が得られ、入浴者の受ける噴流の水圧がマッサージ効果をもたらす。
【発明を実施するための最良の形態】
【０００９】
以下、図面を参照しつつ本発明のジェット噴射装置について説明するが、本発明はこれらの実施例に記載されたもののみに限定されるものではない。図１は、本発明の一実施例のジェット噴射装置の分解斜視図であり、図２は、本発明の一実施例のジェット噴射装置が浴槽壁に設置された状態での組立縦断面である。
【００１０】
図１に示されるように、ジェット噴射装置Ａは、ノズルを中心に備える本体部１と、本体部の周囲壁１２に適合される蓋部材２が設けられ、本体部１の周囲壁１２と蓋部材とでチャンバ３が形成され、チャンバ３内にはノズル中心の周りに回転可能な回転体４が装着されている。
【００１１】
本発明に係るジェット噴射装置は、加圧水供給手段から供給される加圧水がノズルから噴出され、チャンバ内に流入し、チャンバ内に装着されている回転体が回転するとともに、蓋部材の中央連通孔より脈動感のある噴流が浴槽内に噴出するものである。チャンバ内には加圧水のみが流入し、空気は混入しない構成とされている。
【００１２】
図２に示されるように、本実施例の本体部１は、噴射口を有するノズル１１をその中心部に有する。ノズル１１は、先端の径が基端の径よりも短く、先細に形成され、基端側においてネジ溝が設けられて、本体部中央部に螺合されている。本実施例では、ノズル１１は本体部１に着脱可能である構成としたが、本体部と一体に形成してもよい。
加圧水供給手段（図示せず）から供給された加圧水Ｗは、このノズル１１によって加圧されてチャンバ３内へと勢いよく噴射される。
【００１３】
チャンバ３は、本体部１の周囲壁１２と蓋部材２とで形成される空洞である。すなわち、蓋部材２は本体部１の周囲壁１２と適合されることによって、空洞であるチャンバ３が形成される。チャンバ３は、蓋部材２の周壁２２に囲まれている前方空間３１と回転体より基端側の空間３２とで構成される。
【００１４】
そして、チャンバ３内にはノズル１１中心の周りに回転可能な回転体４が装着される。本実施例では、回転体４はチャンバ３の前方空間３１すなわち、蓋部材２の周壁２２に囲まれている空間に装着され、回転体先端面中心に半埋没されている支持部材４０によって蓋部材中心部２１０基端側端面において回転可能に支持されている。
基端側においては、蓋部材２の周壁２２の内部に形成された嵌合溝６０にＣリング６が嵌合されて、ストッパーとして回転体４のチャンバの前方空間３１からの抜け止めが施されている。
【００１５】
回転体４は、熱可塑性合成樹脂からなる円柱体であって、本実施例では、アセタール樹脂によって形成されている。回転体の先端面中心には前述のように、支持部材４０が半埋没されており、蓋部材中心部２１０基端側端面において点接触し、回転体４を回転可能に支持している。
支持部材は、蓋部材２基端側端面と点接触するもので錆びない材質であれば限定されない。本実施例においては、材質はステンレスであり、球体形状の部材が半埋没状態で先端面中心に固着されているが、円錐形状のものであってもよい。
【００１６】
回転体４の周囲には、回転体より基端側空間３２と蓋部材２の前方空間とを連通する周囲連通孔５が設けられる。本実施例では、蓋部材２の周壁２２に周方向に間隔を置いて１６個が設けられている。この周囲連通孔５を介して浴槽内の水がチャンバ３の回転体より基端側空間３２に逆流することにより流入される。
【００１７】
図３ａは、回転体４の先端面側を示す図であり、図３ｂは、回転体４の基端面側を示す図であり、図３ｃは、図３ａにおける回転体４のＸ−Ｘ断面図である。回転体４の内部には、ノズル１１から噴射された加圧水が導通される噴射水導通孔４１が回転体４の基端面から先端面へと連通して形成されている。本実施例においては、図３に示されるとおり、噴射水導通孔４１は二つ設けられているが、二つに限定されるものではない。
【００１８】
二つの噴射水導通孔４１、４１の流入口４１１、４１１の径は流出口４１２、４１２の径よりも大きく、流入口４１１、４１１はテーパー状に形成されており、流入口４１１と流出口４１２とを連通する連通部４１３、４１３は周方向に傾斜して形成されている。
【００１９】
さらに、図３に示されるように、回転体４の内部には、噴射水導通孔４１と隣接する位置において、回転体連通孔４２が回転体の基端面から先端面へと連通して形成されている。この回転体連通孔４２は、前述の噴射水導通孔４１と異なり、周方向に傾斜することなく形成されている。この回転体連通孔４２を介しても浴槽内の水がチャンバ３の回転体より基端側空間３２に逆流することにより流入される。
【００２０】
図４ａは、蓋部材２の先端側端面を示す図であり、図４ｂは、蓋部材２の基端側端面を示す図である。図４ｃは、蓋部材２の縦断面図である。
回転体４の噴射水導通孔４１、４１の流出口４１２から噴出されたジェット噴流は、蓋部材２に設けられた中央連通孔２１を介して浴槽内へと噴出される。すなわち、図２に示されるように、中央連通孔２１は、回転体前方室３１１内と蓋部材前方空間とを連通しているので、流出口４１２からチャンバ３内の回転体前方室３１１に噴出されたジェット噴流は中央連通孔２１を介して浴槽内へと噴出される。
【００２１】
中央連通孔２１の形状は、回転体４の支持部材４０を支持する閉塞箇所が設けられていれば、特に限定されない。本実施例では、図４ａ、４ｂに示されるように、閉塞された中心部２１０が設けられ、その周囲を扇形状の３つの領域に分割するとともに、各扇形状の領域に開口を前段、中段、後段と三重に設けるという構成としている。
このような構成とすることによって、回転体によって回転力を加えられた噴流が回転力を有しながら、各扇形状の各開口からそれぞれ分散して噴出することとなり、浴槽内に噴出されるジェット噴流に多様な動きをもたせることが可能となる。
【００２２】
本実施例の構成以外にも、中央連通孔２１の形状は、二つの領域に分割してもよいし、また、扇形状の５つの領域、７つの領域に細分化してもよい。また、各領域の開口は前段、中段、後段の三重構造に限定されず、前段、後段の二重構造であってもよいし、四重、五重の開口構造であってもよく、所望するジェット噴流の動きに応じて適宜選択可能である。
【００２３】
次に、本発明に係るジェット噴射装置Ａによるジェット噴流の生成過程について説明する。
まず、加圧水供給手段から供給される加圧水がノズル１１から勢いよく噴出される。このノズル１１からの噴射は、ノズルの先端の径が小さく先細になっているので直線的な幅の狭い噴射である。
この直線的な幅の狭い噴射は、チャンバ３内に装着されている回転体４の基端面上中心付近に当たるとともに、二つの噴射水導通孔４１、４１の流入口４１１、４１１を介して噴射導通孔４１内へと流入される。すなわち、二つの噴射水導通孔４１、４１の流入口４１１、４１１の径は流出口４１２、４１２の径よりも大きくテーパー状に形成されているので、回転体４の基端面上中心付近に当たった噴射が二股に分かれて噴射水導通孔４１、４１の流入口にスムーズに流入することが可能である。
【００２４】
チャンバ３内に装着されている回転体４は、噴射水導通孔４１、４１にジェット噴射を流入しながら回転するが、回転体４の周囲に、チャンバ内の回転体より基端側空間３２と蓋部材２の前方空間とを連通する周囲連通孔５が設けられ、さらに、回転体の内部に、噴射水導通孔４１と隣接する位置において回転体の基端面から先端面へと連通して形成されている回転体連通孔４２を設けることで、回転体の回転が可能となった。
【００２５】
さらに、回転体４の回転によって生成される好ましいジェット噴流は、噴射水導通孔４１の連通部４１３に周方向の傾斜を設けることで得ることができた。
【００２６】
表１は、周囲連通孔、回転体連通孔の有無によって、噴流による水面の盛り上り高さと噴流の体感度を比較したものである。表２は、周囲連通孔及び回転体連通孔の両方を備えたジェット噴射装置において、噴射水連通孔の傾斜角度を設けた場合の噴流による水面の盛り上り高さと噴流の体感度を比較したものである。
実験においては、浴槽の壁面に設置（水深１００ｍｍ）したジェット噴射装置の蓋部材２先端側端面から一定の距離（５ｃｍ）に板を水面に対して垂直に浴槽内に挿入し、流量６０リットル/分・０．２MPa（２ｋｇ/ｍ2）で当該板の浴槽内への浸水部分に噴流が当たった場合の水面の盛り上りの高さ（波の高さ）を測定した。
さらに、板に代えて、被験者の背中が蓋部材２先端側端面から一定の距離（５ｃｍ）の位置になるように浴槽内に入り、噴流の体感度を調べた。
【００２７】
【表１】
2007130332.tif 000003
【００２８】
【表２】
2007130332.tif 000004
【００２９】
表１に示すように、周囲連通孔なし、回転体連通孔なしの場合は、回転体４自体が回転しなかった。これに対して、周囲連通孔あり(１６穴）回転体連通孔ありの場合が、水面の盛り上りの高さ（波の高さ）が１２ｃｍと最高の値を示し脈動感のある噴流が得られ、さらに、被験者の体感度が良（○）であるという結果が得られた。
さらに、表２に示すように、周囲連通孔(１６穴）及び回転体連通孔の両方を備えたジェット噴射装置でも、噴射水導通孔４１の連通部４１３に設けた周方向の傾斜角度が０度〜１０度の範囲においては、回転体４自体が回転しなかった。これに対して、噴射水導通孔４１の連通部４１３に設けた周方向の傾斜角度が１５度〜２５度の範囲においては脈動感のある噴流が得られた。特に２０度の角度である場合に、脈動感に優れた噴流が得られ、体感度が最良（◎）であった。
【００３０】
このように回転体４の流出口４１２、４１２から噴出されるジェット噴流は、蓋部材２の中央連通孔２１を介して浴槽内に噴出される。すなわち、回転体４によって回転力を加えられた噴流が回転力を保持しながら、各扇形状の各開口からそれぞれ分散して噴出し浴槽内に噴射されるので、浴槽内に噴出されるジェット噴流は多様な動きをすることとなり、単調なものでなく脈動感に富み、マッサージ効果に優れたものである。
【図面の簡単な説明】
【００３１】
【図１】本発明の一実施例のジェット噴射装置の分解斜視図である。
【図２】本発明の一実施例のジェット噴射装置が浴槽壁に設置された状態での組立縦断面である。
【図３】図３ａは、回転体の先端面側を示す図であり、図３ｂは、回転体の基端面側を示す図であり、図３ｃは回転体のＸ−Ｘ線断面図である。
【図４ａ】蓋部材の先端側端面を示す図である。
【図４ｂ】蓋部材の基端側端面を示す図である。
【図４ｃ】蓋部材の縦断面図である。
【符号の説明】
【００３２】
１      本体部
２      蓋部材
３      チャンバ
４      回転体
５      周囲連通孔
６Ｃ    リング
１１    ノズル
１２    周囲壁
２１    中央連通孔
２２    周壁
４０    支持部材
４１    噴射水導通孔
４１１  流入口
４１２  流出口
４１３  連通部
４２    回転体連通孔
Ｗ      加圧水
【図１】
2007130332.tif 000005
【図２】
2007130332.tif 000006
【図３】
2007130332.tif 000007
【図４ａ】
2007130332.tif 000008
【図４ｂ】
2007130332.tif 000009
【図４ｃ】
2007130332.tif 000010